(57)【要約】【課題】本発明はサウナ装置に関するもので、排水経路を廃止することを目的とするものである。【解決手段】そしてこの目的を達成するために本発明は、垂直方向に配置した霧化筒１と、この霧化筒１内に、垂直方向に配置した回転軸５と、この回転軸５の回転駆動手段６と、前記回転軸５の上下方向に所定間隔をおいて配置された複数の回転板７と、複数の回転板７のうち、上方の回転板７上に水を供給する水供給手段８と、複数の回転板７間の前記霧化筒１内面に設けた捕集水手段９と、この捕集水手段９により捕集した水を下方の回転板７上に供給する捕集水供給手段１０と、前記霧化筒１の下方開口部２から上方開口部３に向けて送風する送風機とを備え、水の乾燥モード時は、前記水供給手段８から回転板７上への水供給を停止し、前記回転駆動手段６は回転駆動し、送風機は、水の霧化モード時に比べて送風能力を低下させた状態で運転させる。【選択図】図１
2010273817.tif 000002
【特許請求の範囲】
【請求項１】
垂直方向に配置した霧化筒と、この霧化筒内に、垂直方向に配置した回転軸と、この回転軸の回転駆動手段と、前記回転軸の上下方向に所定間隔をおいて配置された複数の回転板と、これら複数の回転板のうち、上方の回転板上に水を供給する水供給手段と、これら複数の回転板間の前記霧化筒内面に設けた捕集水手段と、この捕集水手段により捕集した水を下方の回転板上に供給する捕集水供給手段と、前記霧化筒の下方開口部から上方開口部に向けて送風する送風機とを備え、水の乾燥モード時は、前記水供給手段から回転板上への水供給を停止し、前記回転駆動手段は回転駆動し、送風機は、水の霧化モード時に比べて送風能力を低下させた状態で運転させる構成としたサウナ装置。
【請求項２】
水の乾燥モード時は、前記水供給手段から回転板上への水供給を停止し、前記回転駆動手段は回転駆動し、送風機は、水の霧化モード時に比べて送風能力を略半分程度に低下させた状態で運転させる構成とした請求項１に記載のサウナ装置。
【請求項３】
水の乾燥モード時は、前記回転駆動手段は、水の霧化モード時に比べて回転数を低下させた状態で運転させる構成とした請求項１または２に記載のサウナ装置。
【発明の詳細な説明】
【技術分野】
【０００１】
本発明は、サウナ装置に関するものである。
【背景技術】
【０００２】
従来のこのサウナ装置の構造は、以下のようになっていた。
【０００３】
すなわち、垂直方向に配置した霧化筒と、この霧化筒内に、垂直方向に配置した回転軸と、この回転軸の回転駆動手段と、前記回転軸の上下方向に所定間隔をおいて配置された複数の回転板と、これら複数の回転板のうち、上方の回転板上に水を供給する水供給手段とを備えた構成となっていた（例えば下記特許文献１）。
【先行技術文献】
【特許文献】
【０００４】
【特許文献１】特開平４−１１８０６８号公報
【発明の概要】
【発明が解決しようとする課題】
【０００５】
上記従来例における課題は、排水経路の設置が必要になるということであった。
【０００６】
すなわち、回転板を回転させることで、その外周に飛散させた水の一部は、液体のまま霧化筒の内面を伝って下方に滴り落ち、これが霧化筒の下方に溜まるので、この溜まった水の排水経路が必要となるのである。
【０００７】
この排水経路は、サウナ室内において、天井部分から床まで延長されるので、工事が大変であるだけでなく、美観を損なうことにもなる。
【０００８】
そこで本発明は、排水経路を廃止することを目的とするものである。
【課題を解決するための手段】
【０００９】
そしてこの目的を達成するために本発明は、垂直方向に配置した霧化筒と、この霧化筒内に、垂直方向に配置した回転軸と、この回転軸の回転駆動手段と、前記回転軸の上下方向に所定間隔をおいて配置された複数の回転板と、これら複数の回転板のうち、上方の回転板上に水を供給する水供給手段と、これら複数の回転板間の前記霧化筒内面に設けた捕集水手段と、この捕集水手段により捕集した水を下方の回転板上に供給する捕集水供給手段と、前記霧化筒の下方開口部から上方開口部に向けて送風する送風機とを備え、水の乾燥モード時は、前記水供給手段から回転板上への水供給を停止し、前記回転駆動手段は回転駆動し、送風機は、水の霧化モード時に比べて送風能力を低下させた状態で運転させる構成とし、これにより初期の目的を達成するものである。
【発明の効果】
【００１０】
以上のように本発明は、垂直方向に配置した霧化筒と、この霧化筒内に、垂直方向に配置した回転軸と、この回転軸の回転駆動手段と、前記回転軸の上下方向に所定間隔をおいて配置された複数の回転板と、これら複数の回転板のうち、上方の回転板上に水を供給する水供給手段と、これら複数の回転板間の前記霧化筒内面に設けた捕集水手段と、この捕集水手段により捕集した水を下方の回転板上に供給する捕集水供給手段と、前記霧化筒の下方開口部から上方開口部に向けて送風する送風機とを備え、水の乾燥モード時は、前記水供給手段から回転板上への水供給を停止し、前記回転駆動手段は回転駆動し、送風機は、水の霧化モード時に比べて送風能力を低下させた状態で運転させる構成としたので、排水経路を廃止することができる。
【００１１】
すなわち、本発明においては、回転軸の上下方向に、所定間隔をおいて配置した複数の回転板間の前記霧化筒内面に捕集水手段を設けるとともに、この捕集水手段により捕集した水を下方の回転板上に供給する捕集水供給手段を設けたので、霧化筒内面を伝って下方に滴る水は捕集水手段で捕集し、その後捕集水供給手段により下方の回転板上に供給し、再び下方の回転板で霧化できる。
【００１２】
このため、霧化筒の下方に滴り落ちる水の量を極めて少なくすることができるので、排水経路を廃止することができる。
【００１３】
したがって、従来必要であった排水経路の設置工事が不要となって工事性が良好となるだけでなく、サウナ室内の美観も保てるものとなる。
【００１４】
また、本発明においては、水の乾燥モード時は、前記水供給手段から回転板上への水供給を停止し、前記回転駆動手段は回転駆動し、送風機は、水の霧化モード時に比べて送風能力を低下させた状態で運転させる構成としたので、霧化動作を安定化することもできる。
【００１５】
すなわち、水の乾燥モード時は、水供給手段から回転板上への水供給を停止するが、この停止直後は、霧化筒内の各部にまだ水が飛び散った状態、つまり各部表面が濡れている状態となっている。
【００１６】
このため、本発明では、この水の乾燥モード時でも、回転駆動手段は回転駆動し、送風機は、水の霧化モード時に比べて送風能力を低下させた状態で運転させる構成とした。
【００１７】
つまり、回転板の上面も濡れた状態となっているので、この状態で送風機により霧化筒の下方開口部から上方開口部に向けて送風する大量の風により乾燥を行うと、回転板の上面に水の乾燥によるスケールが形成されてしまい、このようになると以降の水の遠心霧化作用が不安定となる。
【００１８】
このため本発明では、この水の乾燥モード時でも、回転駆動手段により回転板を回転駆動し、これにより回転板の上面に、水の乾燥によるスケールが形成されるのを抑制し、以降の水の遠心霧化作用を安定化させるものである。
【００１９】
また、この水の乾燥モード時には、送風機は、水の霧化モード時に比べて送風能力を低下させた状態で運転させる構成としたので、捕集水手段や捕集水供給手段部分でのスケール形成も抑制し、以降の水の遠心霧化作用を安定化させることができる。
【００２０】
すなわち、本発明においては、霧化筒内面を伝って下方に滴る水は捕集水手段で捕集し、その後捕集水供給手段により下方の回転板上に供給し、再び下方の回転板に供給することで、霧化効果を高めているが、乾燥モード時に上述した送風機により、霧化筒の下方開口部から上方開口部に向けて送風する大量の風により乾燥を行うと、捕集水手段や捕集水供給手段に残存している水が少ないことが起因し、捕集水手段や捕集水供給手段部分で水が乾燥し、そこにスケールが形成されてしまい、このようになると以降の水の遠心霧化作用が不安定となる。
【００２１】
そこで、本発明は、この水の乾燥モード時には、送風機は、水の霧化モード時に比べて送風能力を低下させた状態で運転させる構成としたので、捕集水手段や捕集水供給手段部分から下方の回転板上へと水が流れる状態で乾燥が継続され、この結果としてこの捕集水手段や捕集水供給手段部分でのスケール形成が抑制され、その結果として、以降の水の遠心霧化作用を安定化させることができるのである。
【図面の簡単な説明】
【００２２】
【図１】本発明の一実施形態の水の霧化モード時を示す断面図
【図２】同水の乾燥モード時を示す断面図
【発明を実施するための形態】
【００２３】
以下本発明の実施形態について図面を参照しながら説明する。
【００２４】
（実施の形態）
図１において、１は、垂直方向に配置した霧化筒で、その下方開口部２には、サウナ室（図示せず）の天井吸気口（図示せず）から吸引された空気が大容量の熱交換器（図示せず）で加熱後供給されるようになっている。
【００２５】
また、この霧化筒１の上方開口部３には、小容量の熱交換器４が連結され、その下流には、サウナ室の天井排気口（図示せず）が連結されている。
【００２６】
また、この霧化筒１内には、垂直方向に配置した回転軸５と、この回転軸５の回転駆動手段６と、前記回転軸５の上下方向に所定間隔をおいて配置された複数の回転板７と、これら複数の回転板７のうち、上方の回転板７上に水を供給する水供給手段８が設けられている。
【００２７】
さらに、これら複数の回転板７間の前記霧化筒１内面には、上面が開口したリング状の捕集水手段９と、この捕集水手段９により捕集した水を下方の回転板７上に供給する雨樋状の捕集水供給手段１０が設けられている。
【００２８】
また、図示していないが、前記霧化筒１の下方開口部２から上方開口部３に向けて送風する送風機が設けられている。
【００２９】
図１は水の霧化モード時を示し、この時には、送風機により、前記霧化筒１の下方開口部２から上方開口部３に向けて送風している。
【００３０】
また、回転駆動手段６により回転軸５は高速回転させており、その状態で、水供給手段８により、上方の回転板７上に水を供給する。
【００３１】
すると、回転板７の外周から水が勢いよく飛散されて霧化され、また一部は前記霧化筒１の内面に衝突して霧化され、この霧化された水は上記送風機により、前記霧化筒１の下方開口部２から上方開口部３に向けて流れる送風に搬送され、熱交換器４で加熱後、サウナ室の天井排気口（図示せず）からサウナ室内に供給される。
【００３２】
また、前記霧化筒１の内面に衝突したが霧化されなかった水は、捕集水手段９により捕集された後に雨樋状の捕集水供給手段１０を介して下方の回転板７上に供給され、次にその、回転板７の外周から水が勢いよく飛散されて霧化され、また一部は前記霧化筒１の内面に衝突して霧化され、この霧化された水は上記送風機により、前記霧化筒１の下方開口部２から上方開口部３に向けて流れる送風に搬送され、熱交換器４で加熱後、サウナ室の天井排気口（図示せず）からサウナ室内に供給される。
【００３３】
以降この繰り返しが４段の回転板７で行われ、十分な量の霧化された水がサウナ室内に供給されるのであるが、このような作用により、本実施形態では、霧化筒１の下方に滴り落ちる水の量を極めて少なくすることができるので、排水経路を廃止することができる。
【００３４】
したがって、従来必要であった排水経路の設置工事が不要となって工事性が良好となるだけでなく、サウナ室内の美観も保てるものとなる。
【００３５】
次に図２は、水の乾燥モード時を示し、この、水の乾燥モード時は、前記水供給手段８から回転板７上への水供給を停止し、また前記回転駆動手段６は回転駆動を継続するが、送風機は、水の霧化モード時に比べて送風能力を低下させた状態で運転させる。
【００３６】
具体的には、送風機は、水の霧化モード時に比べて送風能力を略半分程度に低下させた状態で運転を行う。
【００３７】
すなわち、本実施形態においては、上述のごとく、霧化筒１内面を伝って下方に滴る水は捕集水手段９で捕集し、その後捕集水供給手段１０により下方の回転板上に供給し、再び下方の回転板７に供給することで、霧化効果を高めているが、乾燥モード時に上述した送風機により、霧化筒１の下方開口部２から上方開口部３に向けて送風する大量の風により乾燥を行うと、捕集水手段９や捕集水供給手段１０に残存している水が少ないことが起因し、捕集水手段９や捕集水供給手段１０部分で水が乾燥し、そこにスケールが形成されてしまい、このようになると以降の水の遠心霧化作用が不安定となる。
【００３８】
そこで、本実施形態においては、この水の乾燥モード時には、送風機は、水の霧化モード時に比べて送風能力を低下させた状態で運転させる構成としたので、捕集水手段９や捕集水供給手段１０部分から下方の回転板７上へと水が流れる状態で乾燥が継続され、この結果としてこの捕集水手段９や捕集水供給手段１０部分でのスケール形成が抑制され、その結果として、以降の水の遠心霧化作用を安定化させることができるのである。
【００３９】
なお、この水の乾燥モード時は、前記回転駆動手段６は、水の霧化モード時に比べて回転数を低下させた状態で運転させても良く、こうすれば省エネルギー効果を高めることができる。
【産業上の利用可能性】
【００４０】
以上のように本発明は、垂直方向に配置した霧化筒と、この霧化筒内に、垂直方向に配置した回転軸と、この回転軸の回転駆動手段と、前記回転軸の上下方向に所定間隔をおいて配置された複数の回転板と、これら複数の回転板のうち、上方の回転板上に水を供給する水供給手段と、これら複数の回転板間の前記霧化筒内面に設けた捕集水手段と、この捕集水手段により捕集した水を下方の回転板上に供給する捕集水供給手段と、前記霧化筒の下方開口部から上方開口部に向けて送風する送風機とを備え、水の乾燥モード時は、前記水供給手段から回転板上への水供給を停止し、前記回転駆動手段は回転駆動し、送風機は、水の霧化モード時に比べて送風能力を低下させた状態で運転させる構成としたので、排水経路を廃止することができる。
【００４１】
また、従来必要であった排水経路の設置工事が不要となって工事性が良好となるだけでなく、サウナ室内の美観も保てるものとなる。
【００４２】
また、本発明においては、水の乾燥モード時は、前記水供給手段から回転板上への水供給を停止し、前記回転駆動手段は回転駆動し、送風機は、水の霧化モード時に比べて送風能力を低下させた状態で運転させる構成としたので、霧化動作を安定化することもできる。
【００４３】
このため、サウナ装置としての活用が広く期待される。
【符号の説明】
【００４４】
１      霧化筒
２      下方開口部
３      上方開口部
４      熱交換器
５      回転軸
６      回転駆動手段
７      回転板
８      水供給手段
９      捕集水手段
１０    捕集水供給手段
【図１】
2010273817.tif 000003
【図２】
2010273817.tif 000004